(57)【要約】【課題】  親機と無線通信可能な無線端末装置において、無線端末装置が充電器に接続されているか否かに関わらず、確実に外部電源の停電を判定して照明を点灯できるようにし、かつ低コストに実現することを目的とする。【解決手段】  子機５０の制御部６１は、電圧監視部７７にて検知した充電電圧により、商用電源９０から直接電源供給を受けて充電電圧を供給する充電台８０からの電圧供給の有無を判定し、電圧供給が無いと判定した場合に、商用電源９０から直接電源供給を受けて動作する親機１０に電話回線網１００との接続要求を送信し、親機１０からの応答を受信できない場合に、親機１０との間で通信が可能でないと判断し、商用電源９０が停電していると判定する。【選択図】  図３
2006211558.tif 000002
【特許請求の範囲】
【請求項１】
外部電源から直接電源供給を受けて充電用電源を供給する充電器に接続されているときに、この充電器から電源供給を受けて充電されるバッテリを内蔵し、このバッテリに充電された電力により動作する無線端末装置であって、
前記外部電源から直接電源供給を受けて動作する親機との間で無線通信を行う通信手段と、
前記充電器からの電源供給の有無を検知する給電検知手段と、
該給電検知手段により前記充電器からの電源供給が無いことが検知されると、前記通信手段を介して前記親機との間で通信が可能か否かを判断し、その結果通信が可能でない場合に、前記外部電源が停電していると判定する停電判定手段と、
該停電判定手段により前記外部電源が停電していると判定されると、照明手段を点灯させる照明制御手段と、
を備えることを特徴とする無線端末装置。
【請求項２】
前記親機は電話回線を介して相手側通信端末との間で通信を行うものであり、
当該無線端末装置は、前記給電検知手段により前記充電器からの電源供給が無いことが検知されると、前記通信手段を介して前記親機に電話回線との接続要求を送信する接続要求送信手段を備え、
前記停電判定手段は、前記接続要求送信手段が接続要求を送信した後、前記親機から応答を受信できない場合に、前記親機との間で通信が可能でないと判断し、前記外部電源が停電していると判定することを特徴とする請求項１に記載の無線端末装置。
【請求項３】
前記充電器は、当該無線端末装置を載置可能な充電台であり、
当該無線端末装置は、当該無線端末装置が前記充電台に載置されているか否かを検知する載置検知手段を備え、
前記停電判定手段は、前記給電検知手段による前記充電台からの電源供給が無いことの検知、前記載置検知手段による前記無線端末装置が前記充電台に載置されていることの検知、前記親機との間で通信が可能でないことの判断、に基づいて前記外部電源が停電していると判定することを特徴とする請求項１又は請求項２に記載の無線端末装置。
【請求項４】
前記停電判定手段は、前記給電検知手段により前記充電台からの電源供給が無いことが検知されると、前記通信手段を介して前記親機との間で通信が可能か否かを判断し、その結果通信が可能でない場合に、前記載置検知手段により当該無線端末装置が前記充電台に載置されていることが検知されているか否かを判断し、載置されていることが検知されている場合に、前記外部電源が停電していると判定することを特徴とする請求項３に記載の無線端末装置。
【請求項５】
前記停電判定手段は、前記給電検知手段により前記充電台からの電源供給が無いことが検知されると、前記載置検知手段により当該無線端末装置が前記充電台に載置されていることが検知されているか否かを判断して、載置されていることが検知されている場合には、前記通信手段を介して前記親機との間で通信が可能か否かを判断することなく、前記外部電源が停電していると判定し、載置されていることが検知されていない場合には、前記通信手段を介して前記親機との間で通信が可能か否かを判断し、通信が可能でない場合に、前記外部電源が停電していると判定することを特徴とする請求項３に記載の無線端末装置。
【請求項６】
前記照明制御手段は、前記停電判定手段により前記外部電源が停電していると判定されると、前記バッテリに蓄えられている電力量から前記照明手段を点灯可能か否かを判断し、その結果点灯可能である場合に、前記照明手段を点灯させることを特徴とする請求項１〜請求項５の何れかに記載の無線端末装置。
【請求項７】
当該無線端末装置には、同一の前記親機と無線通信を行う他の無線端末装置と区別するための識別番号が設定されており、
前記停電判定手段により前記外部電源が停電していると判定されると、前記識別番号が、前記照明手段の点灯が許可された識別番号であるか否かを判定し、その結果前記照明手段の点灯が許可された識別番号である場合に、前記照明制御手段の動作を許可する第１の照明許可手段を備えたことを特徴とする請求項１〜請求項６の何れかに記載の無線端末装置。
【請求項８】
前記外部電源が停電したときに、当該無線端末装置の前記照明手段を点灯させるか否かを外部からの指令に従い設定する点灯動作設定手段と、
前記点灯動作設定手段により前記外部電源の停電時に前記照明手段を点灯させることが設定されているときに、前記照明制御手段の動作を許可する第２の照明許可手段を備えたことを特徴とする請求項１〜請求項７の何れかに記載の無線端末装置。
【請求項９】
前記照明制御手段が前記照明手段を点灯させているときに、前記外部電源が停電から復帰したか否かを判定する復帰判定手段を備え、
前記照明制御手段は、前記復帰判定手段により前記外部電源が停電から復帰したと判定されると、前記照明手段を消灯させることを特徴とする請求項１〜請求項８の何れかに記載の無線端末装置。
【請求項１０】
前記復帰判定手段は、前記給電検知手段により前記充電器からの電源供給があることが検知されるか、又は、前記通信手段により前記親機からの送信信号が受信された場合に、前記外部電源が停電から復帰したと判定することを特徴とする請求項９に記載の無線端末装置。
【請求項１１】
前記照明制御手段は、前記照明手段を点灯させているとき、前記バッテリに蓄えられている電力量から前記照明手段を継続して点灯可能か否かを判断し、その結果継続して点灯可能でない場合に、前記照明手段を消灯させることを特徴とする請求項１〜請求項１０の何れかに記載の無線端末装置。
【請求項１２】
前記照明制御手段は、前記照明手段を点灯させているとき、外部から消灯指令が入力されると、前記照明手段を消灯させることを特徴とする請求項１〜請求項１１の何れかに記載の無線端末装置。
【請求項１３】
前記照明制御手段は、前記照明手段を点灯させてからの経過時間を計時し、その経過時間が予め設定された点灯継続時間に達すると、前記照明手段を消灯させることを特徴とする請求項１〜請求項１２の何れかに記載の無線端末装置。
【請求項１４】
当該無線端末装置は、操作状態を表示するための表示パネルを備え、
前記照明手段は、前記表示パネルのバックライトであることを特徴とする請求項１〜請求項１３の何れかに記載の無線端末装置。
【請求項１５】
電話回線に接続され、外部電源から直接電源供給を受けて動作する親機と、
前記外部電源から直接電源供給を受けて充電用電源を供給する充電器と、
この充電器に接続されているときに、この充電器から電源供給を受けて充電されるバッテリを内蔵し、このバッテリに充電された電力により動作する無線端末装置と、
を備え、前記無線端末装置が前記親機との間で無線通信を行うことで前記電話回線に接続されるコードレス電話システムであって、
前記無線端末装置として、請求項１〜請求項１４に記載の何れかの無線端末装置を備えたことを特徴とするコードレス電話システム。
【発明の詳細な説明】
【技術分野】
【０００１】
本発明は、停電時に非常灯として利用可能なコードレス電話システムの無線端末装置に関する。
【背景技術】
【０００２】
従来より、電話回線に接続され、外部電源から直接電源供給を受けて動作する親機と、外部電源から直接電源供給を受けて充電用電源を供給する充電器と、この充電器に接続されているときに、この充電器から電源供給を受けて充電されるバッテリを内蔵し、このバッテリに充電された電力により動作する子機とからなるコードレス電話システムにおいて、親機との間で無線通信を行うことで電話回線に接続する子機が知られている。しかしながら、この子機においては、例えば夜間等に停電が発生した場合には子機の位置を確認することが困難であった。
【０００３】
そこで、上記問題を解決する方法として、子機に照明を備え、充電器から供給される充電電圧がなだらかに低下するか、急に低下するかを内蔵されたマイクロコンピュータにて観察し、充電電圧がなだらかに低下したと判断すると、外部電源が停電していると判定し、子機の位置を示すために照明を点灯させる方法が提案されている（例えば特許文献１等参照）。
【特許文献１】特開平５−２０７１１８号公報
【発明の開示】
【発明が解決しようとする課題】
【０００４】
しかしながら、上記提案の方法では、マイクロコンピュータが、充電電圧がなだらかに低下したか、急に低下したかを判断するために電圧値を高速で読み取る必要があった。このため、高速に動作するＣＰＵが必要であり、コストが高くなるという問題があった。また、子機が充電器から外された状態では、充電電圧は変化しないため、停電であるか否かを判定することはできず、照明を点灯させることはできなかった。
【０００５】
本発明は、こうした問題に鑑みなされたもので、親機と無線通信可能な無線端末装置において、無線端末装置が充電器に接続されているか否かに関わらず、確実に外部電源の停電を判定して照明を点灯できるようにし、かつ低コストに実現することを目的とする。
【課題を解決するための手段】
【０００６】
係る目的を達成するためになされた請求項１に記載の発明は、外部電源から直接電源供給を受けて充電用電源を供給する充電器に接続されているときに、この充電器から電源供給を受けて充電されるバッテリを内蔵し、このバッテリに充電された電力により動作する無線端末装置であって、前記外部電源から直接電源供給を受けて動作する親機との間で無線通信を行う通信手段と、前記充電器からの電源供給の有無を検知する給電検知手段と、該給電検知手段により前記充電器からの電源供給が無いことが検知されると、前記通信手段を介して前記親機との間で通信が可能か否かを判断し、その結果通信が可能でない場合に、前記外部電源が停電していると判定する停電判定手段と、該停電判定手段により前記外部電源が停電していると判定されると、照明手段を点灯させる照明制御手段と、を備えたことを特徴とする。
【０００７】
このように、本発明の無線端末装置は、外部電源から直接電源供給を受けて充電用電源を供給する充電器に接続されているときに、この充電器から電源供給を受けて充電されるバッテリを内蔵し、このバッテリに充電された電力により動作するものであり、通信手段が、外部電源から直接電源供給を受けて動作する親機との間で無線通信を行い、給電検知手段が、充電器からの電源供給の有無を検知する。そして、電源供給が無い場合に、停電判定手段は、通信手段により親機との間で通信が可能か否かを判断し、その結果通信が可能でない場合には外部電源が停電していると判定し、照明制御手段が照明手段を点灯する。
【０００８】
つまり、請求項１に記載の無線端末装置によれば、充電器からの電源供給が無い場合に親機との間で通信が可能か否かを判断し、通信できない場合に停電していると判定するので、充電器に接続されていない場合にも停電を確実に判定して照明手段を点灯することができ、また停電を判定するために高速に動作するＣＰＵを必要としないため、低コストで実現できる。
【０００９】
次に、請求項１に記載の無線端末装置は、請求項２に記載のように、給電検知手段により充電器からの電源供給が無いことが検知されると、通信手段が、親機に電話回線との接続要求を送信し、親機を介して相手側通信端末との間で通信を行うように構成し、停電判定手段は、接続要求を送信した後、親機から応答を受信できない場合に、親機との間で通信が可能でないと判断し、外部電源が停電していると判定するようにしてもよい。
【００１０】
このようにすると、親機との無線通信により電話回線に接続することが可能となり、充電器からの電源供給が無い場合には、電話回線に接続するための接続要求を自動的に親機に送信するので、外部電源が停電していない場合は電話回線に接続することができ、外部電源が停電している場合は、親機は接続要求に応答しないため、親機からの応答は受信できず、停電していると判定して照明手段を点灯させることができる。
【００１１】
また、請求項１又は請求項２に記載の無線端末装置は、請求項３に記載のように、この無線端末装置を載置可能な充電台に載置されているときに、この充電台から電源供給を受けて内蔵されたバッテリが充電されるように構成し、充電台に載置されているか否かを検知するための載置検知手段を設け、停電判定手段は、給電検知手段による充電台からの電源供給が無いことの検知、載置検知手段による無線端末装置が充電台に載置されていることの検知、親機との間で通信が可能でないことの判断、に基づいて外部電源が停電していると判定するようにしてもよい。
【００１２】
つまり、請求項１又は請求項２に記載の無線端末装置において、停電判定手段は、充電台からの電源供給が無いことが検知されると、親機との間の無線通信により停電であるか否かを判定するので、例えば、無線端末装置が充電台から外されて親機との間で無線通信できない場所に置かれている場合には、停電していると判定して照明手段を点灯させてしまい、電力を無駄に消費してしまう可能性がある。
【００１３】
そこで、無線端末装置が充電台に載置されているときにのみ、照明手段を点灯させればよい場合には、請求項３に記載のようにすると、例えば充電台からの電源供給が無く、親機と無線端末装置との間に存在する障害物等により、無線通信ができない場合であっても、充電台に載置されていない場合には、停電でないと判定するので、より確実に停電を判定でき、停電時に限って照明手段を点灯させることができる。
【００１４】
そして、請求項３に記載の無線端末装置の停電判定手段は、請求項４に記載のように、給電検知手段により充電台からの電源供給が無いことが検知されると、通信手段を介して親機との間で通信が可能か否かを判断し、その結果通信が可能でない場合に、載置検知手段により無線端末装置が充電台に載置されていることが検知されているか否かを判断し、載置されていることが検知されている場合に、外部電源が停電していると判定するようにしてもよい。
【００１５】
つまり、無線端末装置が充電台に載置されているときにのみ、照明手段を点灯させればよい場合には、このようにすると、充電台に載置されているか否かを最後に判断するので、載置検知手段を、停電であるか否かをより確実に判定するための付加的な要素として使用することができ、充電台から電圧供給がある場合、又は、親機と通信可能である場合には、即座に停電でないと判定するので、停電判定に要する時間を短くすることができる。
【００１６】
さらに、請求項３に記載の無線端末装置の停電判定手段は、請求項５に記載のように、給電検知手段により充電台からの電源供給が無いことが検知されると、載置検知手段により当該無線端末装置が充電台に載置されていることが検知されているか否かを判断し、載置されていることが検知されている場合には、通信手段を介して親機との間で通信が可能か否かを判断することなく、外部電源が停電していると判定し、載置されていることが検知されていない場合には、通信手段を介して親機との間で通信が可能か否かを判断し、通信が可能でない場合に、外部電源が停電していると判定するようにしてもよい。
【００１７】
このようにすると、充電台からの電源供給が無い場合に充電台に載置されていると検知されたときには即座に停電していると判定し、充電台に載置されていないときのみ親機との通信を行い、通信が可能でない場合に停電していると判定するので、停電を判定するための処理を減らすことができる。
【００１８】
一方、請求項１〜請求項５の何れかに記載の無線端末装置は、請求項６に記載のように照明制御手段は、停電判定手段により外部電源が停電していると判定されると、バッテリに蓄えられている電力量から照明手段を点灯可能か否かを判断し、その結果点灯可能である場合に、照明手段を点灯させるようにしてもよい。
【００１９】
このようにすると、バッテリに蓄えられている電力量が少ない場合には、照明手段を点灯させないようにすることができ、停電が復帰した直後に通話可能な電力を残しておくことができる。
【００２０】
そして、請求項１〜請求項６の何れかに記載の無線端末装置は、請求項７に記載のように、同一の親機と無線通信を行う他の無線端末装置と区別するための識別番号が設定されており、停電判定手段により外部電源が停電していると判定されると、この識別番号が、照明手段の点灯が許可された識別番号であるか否かを判定し、その結果照明手段の点灯が許可された識別番号である場合に、照明制御手段の動作を許可する第１の照明許可手段を備えるようにしてもよい。
【００２１】
つまり、停電時には同じ親機と無線通信する全ての無線端末装置の照明手段を点灯させてもよいが、このようにすると、予め点灯すると設定した無線端末装置の照明手段のみを点灯させることができるので、電力消費を軽減できると共に、停電が復帰した直後に通話可能な無線端末装置を確保することができる。
【００２２】
また、請求項１〜請求項７の何れかに記載の無線端末装置は、請求項８に記載のように、外部電源が停電したときに、無線端末装置の照明手段を点灯させるか否かを外部からの指令に従い設定する点灯動作設定手段と、この点灯動作設定手段により外部電源の停電時に照明手段を点灯させることが設定されているときに、照明制御手段の動作を許可する第２の照明許可手段を備えるようにしてもよい。
【００２３】
このようにすると、無線端末装置の使用者が、無線端末装置毎に、停電時に照明手段を点灯させるか、させないかを設定できるので便利である。
そして、請求項１〜請求項８の何れかに記載の無線端末装置は、請求項９に記載のように、照明制御手段が照明手段を点灯させているときに、外部電源が停電から復帰したか否かを判定する復帰判定手段を備え、照明制御手段は、この復帰判定手段により外部電源が停電から復帰したと判定されると、照明手段を消灯させるようにしてもよい。
【００２４】
このようにすると、外部電源が停電から復帰したと判定すると、点灯手段を消灯させ、停電状態が続いている場合のみに点灯を継続するので、電力の浪費を避けることが可能である。
【００２５】
そして、このように構成された請求項９に記載の無線端末装置の復帰判定手段は、請求項１０に記載のように、給電検知手段により充電器からの電源供給があることが検知されるか、又は、通信手段により前記親機からの送信信号が受信された場合に、外部電源が停電から復帰したと判定するようにしてもよい。
【００２６】
このようにすると、充電器からの電源供給があるか、又は親機から送信された信号を受信した場合に停電から復帰したことを判定するので、無線端末装置が充電器に接続されている場合は電源が供給されることで停電が復帰したことを判定し、無線端末装置が充電器に接続されていない場合にも親機からの送信信号を受信することで停電が復帰したことを判定できるので、より確実に停電が復帰したことを判定できる。
【００２７】
一方、請求項１〜請求項１０の何れかに記載の無線端末装置の照明制御手段は、請求項１１に記載のように、照明手段を点灯させているとき、バッテリに蓄えられている電力量から照明手段を継続して点灯可能か否かを判断し、その結果継続して点灯可能でない場合に、照明手段を消灯させるようにしてもよい。
【００２８】
このようにすると、バッテリに蓄えられている電力量が少なくなった場合には、照明手段を消灯させることができ、停電が復帰した直後に通話可能な電力を残しておくことができる。
【００２９】
また、請求項１〜請求項１１の何れかに記載の無線端末装置の照明制御手段は、請求項１２に記載のように、照明手段を点灯させているとき、外部から消灯指令が入力されると、照明手段を消灯させるようにしてもよい。
【００３０】
このようにすると、無線端末装置の使用者が、外部操作により照明手段の点灯を継続させるか、消灯させるかを選択できるので都合がよい。
そして、請求項１〜請求項１２の何れかに記載の無線端末装置の照明制御手段は、請求項１３に記載のように、照明手段を点灯させてからの経過時間を計時し、その経過時間が予め設定された点灯継続時間に達すると、照明手段を消灯させるようにしてもよい。
【００３１】
このようにすると、予め設定した時間が経過した後に、自動的に消灯されるので、電力の浪費を避けることができる。
また、請求項１〜請求項１３の何れかに記載の無線端末装置は、請求項１４に記載のように、操作状態を表示するための表示パネルを備え、照明手段は、この表示パネルのバックライトとしてもよい。
【００３２】
一般の親子電話の子機に設けられている表示パネルのバックライトを照明手段として点灯させるので、新たにハードウェアを追加する必要がなく都合がよい。
一方、請求項１５に記載の発明は、上述した請求項１〜請求項１４に記載の何れかの無線端末を備えたコードレス電話システムであって、電話回線に接続され、外部電源から直接電源供給を受けて動作する親機と、外部電源から直接電源供給を受けて充電用電源を供給する充電器とを備えることを特徴としている。このシステムによれば、請求項１〜請求項１４の何れかに記載の無線端末装置によるコードレス電話システムを構築することが可能となる。
【発明を実施するための最良の形態】
【００３３】
以下に、本発明の実施の形態を図面と共に説明する。
図１はコードレス電話システム１を構成する親機１０、子機５０、充電台８０の構成を示す斜視図、図２（ａ）は子機５０の背面を示す斜視図、図２（ｂ）は充電台８０の構成を示す斜視図、図３は本実施形態のコードレス電話システム１の電気的構成を表すブロック図である。
【００３４】
コードレス電話システム１は、図１に示すように、電話回線網１００（図３参照）に接続されると共に商用電源９０（図３参照）から直接電源供給を受けて動作する親機１０と、同じく商用電源９０から直接電源供給を受けて、充電用電源を供給する充電台８０と、この充電台８０に載置されているときに、この充電台８０から電源供給を受けて充電されるバッテリ７１を内蔵し、このバッテリ７１に充電された電力により動作する子機５０とから構成されている。
【００３５】
これらのうち親機１０は、その親機本体ケース１１の側部に、親機１０本体から取り外した状態で使用する送受話器であるハンドセット（Ｈ／Ｓ）１２が取り付けられている。さらに、親機本体ケース１１の上面には、各種機能に関連する情報を表示するための表示パネル１３と、相手側の電話番号を入力する等の各種操作をするときに使用される各種操作ボタン１４が備えられている。
【００３６】
また子機５０には、ハンドセットの形状をした子機本体ケース５１の表面上に、各種機能に関連する情報を表示するための表示パネル５３と、相手側の電話番号を入力する等の各種操作をするための操作ボタン５４と、子機５０を動作させるバッテリ７１を充電台８０に接続するための充電用端子５５と、が備えられている。
【００３７】
尚、表示パネル５３は、表示画面を背面から照明し、商用電源９０の停電時（以下、停電は、商用電源９０の停電を示す）には非常灯として使用されるバックライト５３ａを備えた液晶ディスプレイ（ＬＣＤ）である。
【００３８】
また充電台８０は、図２（ｂ）に示すように、子機５０を着脱可能に載置する載置用凹部８１ａが形成された充電台本体８１と、載置用凹部８１ａ内に設けられ、子機５０が載置用凹部８１ａ内に載置されると充電用端子５５に接触する充電用端子８２とから構成される。
【００３９】
次に、コードレス電話システム１の電気的構成について説明する。
図３に示すように、親機１０は、親機１０全体の動作を制御する制御部２１、ハンドセット１２、表示パネル１３及び操作ボタン１４からなるユーザインタフェース部（以下、ユーザＩ／Ｆとする）１５、音声信号を出力するスピーカ２３、予め記憶された各種音声信号に基づく音声を再生する再生部２５，子機５０との間で音声信号を含めた各種信号を無線通信により送受信する無線通信部２７，電話回線網１００経由で伝送される音声信号を入出力するＮＣＵ（ｎｅｔｗｏｒｋ  ｃｏｎｔｒｏｌ  ｕｎｉｔ）２９，親機１０内部における音声信号の伝送経路を切り換える経路切換部３１等を備えている。
【００４０】
これらのうち制御部２１は、種々のデータを格納するＲＡＭ２１ａと、電力が供給されない状態でも記憶されたデータを保持可能なＥＥＰＲＯＭ２１ｂを備えている。
また再生部２５は、着信を受けた際に利用される呼出音等の音声信号を記憶し、制御部２１からの指令を受けて、記憶されている音声信号を再生する。再生された音声信号はスピーカ２３から出力される。
【００４１】
そして無線通信部２７は、子機５０との間で音声信号を含めた各種信号を無線通信により送受信する。
また経路切換部３１は、通話を開始するための操作が行われた場合に、親機１０外部との音声信号の入出力に利用する伝送経路をハンドセット１２，無線通信部２７のいずれかに切り換える。具体的には、ハンドセット１２が親機１０本体から取り外された場合は、伝送経路をハンドセット１２に切り換え、子機５０から送信された、電話回線網１００への接続要求信号を受信した場合には、伝送経路を無線通信部２７に切り換える。
【００４２】
そして、ユーザＩ／Ｆ１５を介して外部から相手先のダイヤル信号等の指令が入力されると、ＮＣＵ２９は、電話回線網１００へ接続し、各種信号を入出力する。
また、このように構成された親機１０において、制御部２１は、電源が投入されると、子機５０の存在を確認するために子機５０に信号を送信する処理を実行する。
【００４３】
次に子機５０は、子機５０全体の動作を制御する制御部６１と、スピーカとマイク及びこれらを駆動する駆動回路からなる送受話部６３と、バックライト５３ａを備える表示パネル５３及び操作ボタン５４からなるユーザＩ／Ｆ５７と、予め記憶された各種音声信号に基づく音声を再生する再生部６５と、再生部６５により再生された音声を出力するスピーカ６７と、親機１０（の無線通信部２７）との間で音声信号を含めた各種信号を無線通信により送受信する無線通信部６９と、充電された電力にて子機５０を動作させるバッテリ７１と、バッテリ７１に蓄えられた電力の残量を検知するための電力残量監視部７３と、充電台８０の充電用端子８２と電気的に接続するための充電用端子５５と、充電用端子５５を介して充電台８０から供給される充電用電源によりバッテリ７１を充電する充電回路７５と、充電回路７５を介して充電用端子５５への電圧印加を検知するための電圧監視部７７と、を備えている。
【００４４】
尚、制御部６１は、種々のデータを格納するＲＡＭ６１ａと、電力が供給されない状態でも記憶されたデータを保持可能なＥＥＰＲＯＭ６１ｂを備えている。
そしてＲＡＭ６１ａには、電圧監視部７７にて、子機５０の充電用端子５５に予め設定された値以上の充電電圧が一度でも検知されるとセットされる通電フラグＦ１と、子機５０のバックライト５３ａが非常灯として点灯されていることを示す非常灯フラグＦ２と、停電状態を示す停電フラグＦ３と、停電状態からの復帰を示す復帰フラグＦ４と、バックライト５３ａを非常灯として点灯開始可能であることを示す点灯フラグＦ５と、バックライト５３ａを非常灯として点灯継続可能であることを示す継続フラグＦ６と、子機５０が親機１０との間で通信不可能であることを示す通信不能フラグＦ７と、が記憶されている。尚、以下の説明において、フラグをセットするとは、そのフラグの値を１にすることを示し、フラグをクリアするとは、そのフラグの値を０にすることを示す。
【００４５】
更にＲＡＭ６１ａには、所定時間毎（例えば１０ｍｓ毎）に自動的にインクリメントされるカウント値を記憶するための記憶領域が設けられている。そして、このカウント値は、制御部６１が行う処理によって、ある時点でその値が０に設定（リセット）されると、その時点で再び０からインクリメントされる値であり、本実施形態では終了判定タイマＴ１及び終了判定タイマＴ２、として使用される。
【００４６】
またＥＥＰＲＯＭ６１ｂには、制御用のプログラムが記憶されていると共に、同一の親機１０と無線通信を行う他の子機５０と区別するための識別番号、バックライト５３ａの点灯継続時間、表示パネル５３へのメッセージの表示時間、充電用端子５５に充電電圧が印可されていると検知するための電圧判定値、バックライト５３ａを点灯可能な電力値と判断するための点灯可能電力値等の各条件が記憶されており、又、ユーザＩ／Ｆ５７を介して使用者にて設定される情報等を記憶するための記憶領域が設けられている。
【００４７】
そして再生部６５には、着信を受けた際に利用される呼出音、音声通話を保留する際に利用される保留音等の音声信号が記憶されている。
このように構成された子機５０の制御部６１は、子機５０に電源が投入されると図４に示す子機動作処理を繰り返し実行し、この子機動作処理では、通常の通話処理の間に親機１０との通信が可能か否かを判定するための通常動作処理、商用電源９０が停電しているか否かを判定するための停電判定処理、商用電源９０が停電状態から復帰したか否かを判定するための復帰判定処理、バックライト５３ａを非常灯として点灯開始可能であるか否かを判定するための非常灯開始判定処理、バックライト５３ａを非常灯として点灯継続可能であるか否かを判定するための非常灯継続判定処理等が実行される。
【００４８】
また充電台８０は、商用電源９０から直接電源供給を受け、充電台本体８１に子機５０が載置され、充電用端子８２と子機５０の充電用端子５５が接触すると子機５０のバッテリ７１に充電電圧を供給する。
【００４９】
このように構成されたコードレス電話システム１において、親機１０は、商用電源９０に接続された状態で、電話回線網１００を介して外部の相手側通信端末との間で外線通話が可能であるとともに、電源投入時には子機５０の状態、台数を確認するために子機５０に信号を送信し、検出した子機５０との間で内線通話が可能である。
【００５０】
一方、子機５０は、親機１０を介して、外部の相手側通信端末との間で外線通話が可能であるとともに、親機１０との間で内線通話が可能である。
また、子機５０は、使用者が、子機５０の有する各機能を選択するためのメニュー画面を表示パネル５３に表示するための操作を操作ボタン５４から行うと、制御部６１は、停電時にバックライト５３ａを非常灯として点灯させるか否かを設定するための「バックライト動作設定」などの文字列が示される子機メニュー画面を表示パネル５３に表示させる。
【００５１】
そして、子機メニュー画面が表示されている状態において、使用者が、例えば「バックライト動作設定」を選択するための操作を操作ボタン５４から行うと、制御部６１は、ＯＮ又はＯＦＦを選択するためのバックライト動作登録画面を表示パネル５３に表示させる。その後、操作ボタン５４を介してＯＮ又はＯＦＦが選択されると、制御部６１は、ＥＥＰＲＯＭ６１ｂ内に設けられた記憶領域にこの設定を登録する。
【００５２】
以下に、子機５０の制御部６１が実行する子機動作処理の手順を、図４を用いて説明する。図４は、子機動作処理を表すフローチャートである。尚、この子機制御処理は、バッテリ７１に蓄えられた電力により制御部６１が起動することにより開始され、電力が無くなるまで繰り返し実行される処理である。
【００５３】
制御部６１は、起動するとまずＳ１１０にて、前回処理を終了したときの履歴を消去するために通電フラグＦ１及び非常灯フラグＦ２をクリアしてＳ１２０に移行する。そして、Ｓ１２０にて、非常灯フラグＦ２がセットされているか否かを判断する。ここで、非常灯フラグＦ２がセットされていない場合には（Ｓ１２０：ＮＯ）、Ｓ１３０にて、通電フラグＦ１がセットされているか否かを判断する。
【００５４】
そして、通電フラグＦ１がセットされている場合には（Ｓ１３０：ＹＥＳ）、Ｓ１６０に移行する。一方、通電フラグＦ１がセットされていない場合には（Ｓ１３０：ＮＯ）、Ｓ１４０にて電圧監視部７７にて検知された充電電圧がＥＥＰＲＯＭ６１ｂに記憶されている電圧判定値以上であるか否かを判断する。
【００５５】
ここで、検知された充電電圧が電圧判定値以上でない場合には（Ｓ１４０：ＮＯ）、Ｓ３３０に移行し、通常動作処理（後述、図５参照）を行い、逆に電圧判定値以上である場合には（Ｓ１４０：ＹＥＳ）、Ｓ１５０にて通電フラグＦ１をセットし、続くＳ１６０にて、商用電源９０が停電しているか否かを判定するための停電判定処理（後述、図６参照）を行う。
【００５６】
つまり、制御部６１が起動されてから充電電圧が電圧判定値に達するまでは、通常動作処理のみを繰り返し行い、電圧判定値に達すると停電判定処理を開始する。これは、例えば、子機５０購入時に、子機５０にバッテリ７１をセットした途端、後述する停電判定処理により停電と判定されて、バックライト５３ａが非常灯として点灯してしまうことを防止するためであり、子機５０のバッテリ７１が充電台８０から電源供給を受けた場合（つまり子機５０と充電台８０とが設置されて使用される状態にある場合）に通電フラグＦ１をセットして、停電判定処理へ移行するようにしている。そして、その後は、通電フラグＦ１がセットされているために停電判定処理を行い、その判定結果に応じてバックライト５３ａが非常灯として点灯されるようになる。
【００５７】
そして、停電判定処理にて、停電していると判定されると停電状態を示す停電フラグＦ３がセットされ、停電していないと判定されると停電フラグＦ３がクリアされる。
Ｓ１６０の処理が終了すると、続くＳ１７０にて、停電フラグＦ３がセットされているか否かを判断する。ここで停電フラグＦ３がセットされていない場合、すなわち、停電していないと判定された場合には（Ｓ１７０：ＮＯ）、Ｓ３３０へ移行して通常動作処理（後述）を行う。一方、停電フラグＦ３がセットされている場合、すなわち、停電していると判定された場合には（Ｓ１７０：ＹＥＳ）、Ｓ１８０にて通電フラグＦ１をクリアし、Ｓ１９０にてバックライト５３ａを非常灯として点灯開始可能であるか否かを判定するための非常灯開始判定処理（後述、図７参照）を行う。そして、この非常灯開始判定処理にて、バックライト５３ａを非常灯として点灯開始可能であると判定されると、点灯開始可能であることを示す点灯フラグＦ５がセットされ、点灯開始できないと判定されると、点灯フラグＦ５がクリアされる。
【００５８】
Ｓ１９０の処理が終了すると、続くＳ２００にて、点灯フラグＦ５がセットされているか否かを判断する。ここで点灯フラグＦ５がセットされていない場合、すなわち、点灯開始できないと判定された場合には（Ｓ２００：ＮＯ）、Ｓ３３０へ移行して通常動作処理（後述）を行う。一方、点灯フラグＦ５がセットされている場合、すなわち、点灯開始可能と判定された場合には（Ｓ２００：ＹＥＳ）、Ｓ２１０にて非常灯フラグＦ２をセットし、Ｓ２２０にて終了判定タイマＴ１をリセットして、Ｓ２３０にて通常動作処理（処理）にて表示パネル５３に表示されるメッセージをクリアする。そして続くＳ２４０にて、バックライト５３ａを点灯させる。そしてＳ２４０を終了すると、Ｓ１２０に移行する。
【００５９】
一方、Ｓ１２０にて、非常灯フラグＦ２がセットされている場合には（Ｓ１２０：ＹＥＳ）、Ｓ２５０に移行し、停電状態からの復帰を判定するための復帰判定処理（後述、図８参照）を行う。そして、この復帰判定処理にて、停電状態から復帰したと判定されると、停電状態からの復帰を示す復帰フラグＦ４がセットされ、復帰していないと判定されると復帰フラグＦ４がクリアされる。
【００６０】
Ｓ２５０の処理が終了すると、続くＳ２６０にて、復帰フラグＦ４がセットされているか否かを判断する。ここで復帰フラグＦ４がセットされていない場合、すなわち、まだ停電状態であると判定された場合には（Ｆ２６０：ＮＯ）、Ｓ２７０に移行し、非常灯を点灯継続可能か否かを判定する非常灯継続判定処理（後述、図９参照）を行う。そして、この非常灯継続判定処理にて、バックライト５３ａを非常灯として点灯継続可能であると判定されると、点灯継続可能であることを示す継続フラグＦ６がセットされ、点灯継続できないと判定されると継続フラグＦ６がクリアされる。
【００６１】
Ｓ２７０の処理が終了すると、続くＳ２８０にて、継続フラグＦ６がセットされているか否かを判断する。ここで継続フラグＦ６がセットされている場合、すなわち、点灯継続可能であると判定された場合には（Ｆ２８０：ＹＥＳ）、Ｓ２９０に移行し、バックライト５３ａを点灯してからの経過時間（Ｓ２２０の処理からの時間）を示す終了判定タイマＴ１の値（以降、終了判定タイマ値Ｔ１と称す）が、終了タイマ値としてＥＥＰＲＯＭ６１ｂに記憶されているバックライト５３ａの点灯継続時間（例えば１０分）を超えているか否かを判断する。ここで、終了判定タイマ値Ｔ１が、所定の終了タイマ値を超えていない場合には（Ｓ２９０：ＮＯ）、Ｓ１２０に移行し、繰り返し、当該処理を行う。
一方、Ｓ２６０にて復帰フラグＦ４がセットされている場合（Ｓ２６０：ＹＥＳ）、Ｓ２８０にて継続フラグＦ６がセットされていない場合（Ｓ２８０：ＹＥＳ）、Ｓ２９０にて終了判定タイマ値Ｔ１が所定の終了タイマ値を超えている場合（Ｓ２９０：ＹＥＳ）、すなわち、停電状態から復帰したか、点灯継続が解除又は不可能と判定されたか、所定時間バックライト５３ａを点灯した場合は、Ｓ３００に移行して、表示パネル５３にバックライト５３ａの点灯を終了することを知らせるメッセージを表示させる。
【００６２】
そして、続くＳ３１０にて、バックライト５３ａを消灯し、続くＳ３２０にて非常灯フラグＦ２をクリアして、Ｓ３３０に移行し、通常動作処理（後述）を行う。尚、通常動作処理では、子機５０が親機１０との間で通信可能か否かが判定され、不可能であると判定されると通信不可能であることを示す通信不能フラグＦ７がセットされ、可能であると判定されると通信不能フラグＦ７がクリアされる。
【００６３】
そして、Ｓ３３０における通常動作処理が終了すると、Ｓ１２０に移行する。
ここで、Ｓ１１０〜Ｓ２３０、Ｓ３２０、Ｓ３３０の処理はバックライト５３ａが消灯しているときに行われ、Ｓ２４０〜Ｓ３００の処理はバックライト５３ａが非常灯として点灯しているときに行われる処理である。
次に、Ｓ３３０において行われる通常動作処理の手順を、図５を用いて説明する。図５は、子機５０の通常動作処理を表すフローチャートである。
【００６４】
この通常動作処理が実行されると、制御部６１は、まずＳ４１０にて、一般のコードレスシステム電話の子機における待機処理を実行する。
そして、待機処理が終了すると、Ｓ４２０に移行し、通信不能フラグＦ７をクリアし、Ｓ４３０に移行する。そして、Ｓ４３０にて電圧監視部７７にて検知された充電電圧が電圧判定値以上であるか否か、すなわち、充電台８０から電圧供給を受けているか否かを判断する。ここで、検知された充電電圧が電圧判定値以上でない場合、すなわち、充電台８０から子機５０が持ち上げられた等により充電台８０からの電圧供給が無い場合には（Ｓ４３０：ＮＯ）、Ｓ４４０にて、子機５０を電話回線網１００に接続するために無線通信部６９を介して親機１０に電話回線網１００との接続要求を送信し、続くＳ４５０にて、終了判定タイマＴ２をリセットし、Ｓ４６０に移行する。
【００６５】
また、Ｓ４６０にて、無線通信部６９を介して親機１０からの応答を受信したか否かを判断し、親機１０からの応答が受信できない場合には（Ｓ４６０：ＮＯ）、Ｓ４７０にて表示パネル５３に、使用者に親機１０の状態を確認するように促す内容のメッセージを表示させる。そして続くＳ４８０にて、親機１０へ接続要求を送信してからの経過時間を示す終了判定タイマＴ２の値（以降、終了判定タイマ値Ｔ２と称す）が、終了タイマ値としてＥＥＰＲＯＭ６１ｂに記憶されている表示パネル５３へのメッセージの表示時間（例えば３秒）を超えているか否かを判断する。ここで、Ｓ４５０の処理にて、終了判定タイマ値Ｔ２が所定の終了タイマ値を超えていない場合には（Ｓ４８０：ＮＯ）、Ｓ４６０に移行し、Ｓ４６０〜Ｓ４８０の処理を繰り返し行う。
一方、Ｓ４８０にて終了判定タイマ値Ｔ２が所定の終了タイマ値を超えている場合（Ｓ４８０：ＹＥＳ）は、Ｓ４９０にて通信不能フラグＦ７をセットして当該処理を終了する。
一方、Ｓ４３０にて、検知された充電電圧が電圧判定値以上である場合（Ｓ４３０：ＹＥＳ）は、そのまま当該処理を終了する。また、Ｓ４６０にて親機１０からの応答を受信した場合（Ｓ４６０：ＹＥＳ）には、Ｓ５００に移行して通話処理を行い、当該処理を終了する。
【００６６】
次に、Ｓ１６０において行われる停電判定処理の手順を、図６を用いて説明する。図６は、停電判定処理を表すフローチャートである。
この停電判定処理が実行されると、制御部６１は、まずＳ６１０にて、電圧監視部７７にて検知された充電電圧が電圧判定値以下であるか否かを判断する。ここで、検知された充電電圧が電圧判定値以下である場合には（Ｓ６１０：ＹＥＳ）、Ｓ６２０に移行して、通信不能フラグＦ７がセットされているか否かを判断する。そして、通信不能フラグＦ７がセットされている場合、すなわち、一定時間待っても親機１０と通信できなかった場合には（Ｓ６２０：ＹＥＳ）、停電していると判定し、Ｓ６３０に移行して停電フラグＦ３をセットして当該処理を終了する。
【００６７】
一方、Ｓ６１０にて、検知された充電電圧が電圧判定値以下でない場合（Ｓ６１０：ＮＯ）、Ｓ６２０にて、通信不能フラグＦ７がセットされていない場合（Ｓ６２０：ＮＯ）には、停電していないと判定し、Ｓ６４０に移行して停電フラグＦ３をクリアして当該処理を終了する。
【００６８】
次に、Ｓ１９０において行われる非常灯開始判定処理の手順を、図７を用いて説明する。図７は、非常灯開始判定処理を表すフローチャートである。
この非常灯開始判定処理が実行されると、制御部６１は、まずＳ７１０にて、当該子機５０が非常灯を点灯する対象となる子機であるか否かを判断する。本実施形態においては、予め設定された識別番号が対象となる子機の識別番号であること、及び、上述した手順にて使用者により操作ボタン５４からバックライト５３ａを非常灯として使用すると設定されていること、について判断する。
【００６９】
そして、非常灯の対象となる子機であると判断した場合には（Ｓ７１０：ＹＥＳ）、Ｓ７２０にて電力残量監視部７３にて検知されたバッテリ７１に蓄えられた電力の残量値が、ＥＥＰＲＯＭ６１ｂに記憶された点灯可能電力値以上であるか否かを判断する。ここで、検知された電力の残量値が点灯可能電力値以上である場合には（Ｓ７２０：ＹＥＳ）、点灯開始可能であると判定し、Ｓ７３０に移行して点灯フラグＦ５をセットして当該処理を終了する。
【００７０】
一方、Ｓ７１０にて、非常灯の対象となる子機でないと判断した場合（Ｓ７１０：ＮＯ）、検知された電力の残量値が点灯可能電力値以上でない場合（Ｓ７２０：ＮＯ）には、点灯開始できないと判定し、Ｓ７４０に移行して点灯フラグＦ５をクリアして当該処理を終了する。
【００７１】
次に、Ｓ２５０において行われる復帰判定処理の手順を、図８を用いて説明する。図８は、復帰判定処理を表すフローチャートである。
この復帰判定処理が実行されると、制御部６１は、まずＳ８１０にて、電圧監視部７７にて検知された充電電圧が電圧判定値以下であるか否かを判断する。ここで、検知された充電電圧が電圧判定値以下である場合には（Ｓ８１０：ＹＥＳ）、Ｓ８２０に移行して、無線通信部６９を介して親機１０からの送信信号が受信されたか否かを判断する。そして、親機１０からの送信信号が受信されない場合には（Ｓ８２０：ＹＥＳ）、復帰していないと判定し、Ｓ８３０に移行して復帰フラグＦ４をクリアして当該処理を終了する。
【００７２】
尚、Ｓ８２０の判断処理における親機１０からの送信信号は、電源復帰時に親機１０が子機５０の状態、台数を確認するために送信する信号を利用すれば、特別な構成を設けずとも本処理を行うことができる。
【００７３】
一方、Ｓ８１０にて、検知された充電電圧が電圧判定値以下でない場合（Ｓ８１０：ＮＯ）、Ｓ８２０にて、親機１０からの送信信号が受信された場合（Ｓ８２０：ＮＯ）には、停電から復帰したと判定し、Ｓ８４０に移行して復帰フラグＦ４をセットして当該処理を終了する。
【００７４】
次に、Ｓ２７０において行われる非常灯継続判定処理の手順を、図９を用いて説明する。図９は、非常灯継続判定処理を表すフローチャートである。
この非常灯継続判定処理が実行されると、制御部６１は、まずＳ９１０にて、使用者により操作ボタン５４の何れかが操作されたか否かを判断する。そして、何れの操作ボタン５４も操作されていないと判断した場合には（Ｓ９１０：ＮＯ）、Ｓ９２０にて電力残量監視部７３にて検知されたバッテリ７１に蓄えられた電力の残量値が、点灯可能電力値以上であるか否かを判断する。ここで、検知された電力の残量値が点灯可能電力値以上である場合には（Ｓ９２０：ＹＥＳ）、点灯継続可能であると判定し、Ｓ９３０に移行して継続フラグＦ６をセットして当該処理を終了する。
【００７５】
一方、Ｓ９１０にて、操作ボタン５４が操作されたと判断した場合（Ｓ９１０：ＹＥＳ）は、使用者から解除指示があったと判定し、検知された電力の残量値が点灯可能電力値以上でない場合（Ｓ９２０：ＮＯ）には、点灯継続できないと判定し、Ｓ９４０に移行して継続フラグＦ６をクリアして当該処理を終了する。
【００７６】
このように構成されたコードレス電話システム１の子機５０は、商用電源９０から直接電源供給を受けて充電用電源を供給する充電台８０に載置されているときに、この充電台８０から電圧供給を受けて充電されるバッテリ７１を内蔵し、このバッテリ７１に充電された電力により動作するものであり、無線通信部６９を介して電話回線網１００に接続し相手側通信端末との間で通信可能である共に商用電源９０から直接電源供給を受けて動作する親機１０との間で無線通信が可能である。
【００７７】
そして、制御部６１は電圧監視部７７にて検出した充電台８０からの供給された電圧値にて電圧供給の有無を判断し、電圧供給が無い場合に、無線通信部６９を介して親機１０に電話回線網１００との接続要求を送信し、親機１０から応答を受信できない場合に、親機１０との間で通信が可能でないと判断し、停電していると判定するようにしている。
【００７８】
このため、制御部６１は、充電台８０からの電圧供給が無いと判断すると、電話回線網１００に接続するための接続要求を自動的に親機１０に送信するので、停電している場合は、親機１０は接続要求に応答しないため、親機１０からの応答は受信できず、停電していると判定する。よって、停電を判定するためのハードウェアを追加することなく、また、子機５０が充電台８０から外されている場合にも停電を確実に判定してバックライト５３ａを点灯することができる。
【００７９】
一方、停電していない場合は親機１０からの応答を受信でき、自動的に電話回線網１００に接続されるので、子機５０を充電台８０から外すと自動的に電話回線網１００に接続可能なクイック発呼機能を実現できる。
【００８０】
また、本実施形態の子機５０によれば、制御部６１が、電力残量監視部７３により検知されたバッテリ７１に蓄えられている電力量と、予め定められた点灯可能電力値とに基づいてバックライト５３ａを点灯開始するか否かを判断し、点灯可能電力値以上である場合にバックライト５３ａを点灯させるので、バッテリ７１に蓄えられている電力量が少ない場合には、バックライト５３ａを点灯させないようにすることができ、停電が復帰した直後に通話可能な電力を残しておくことができる。
【００８１】
そして、同一の親機１０と無線通信を行う他の子機５０と区別するための識別番号が設定されており、バックライト５３ａの点灯が許可された識別番号である場合に点灯させるので、電力消費を軽減できると共に、停電が復帰した直後に通話可能な子機５０を確保することができる。
【００８２】
さらに、本実施形態の子機５０によれば、停電した場合にバックライト５３ａを点灯させるか否かをユーザＩ／Ｆ１５を介して設定できるので、子機５０の使用者が、子機５０毎に、停電時にバックライト５３ａを点灯させるか、させないかを設定できるので便利である。
【００８３】
また、本実施形態の子機５０によれば、停電時にバックライト５３ａを点灯させているときに、充電台８０からの電圧供給があると判断されるか、又は、無線通信部６９を介して親機１０からの信号を受信したか、により停電から復帰したか否かを判定するので、より確実に停電が復帰したことを判定できる。そして、復帰した場合にはバックライト５３ａを消灯させるので、停電状態が続いている場合のみに点灯を継続し、電力の浪費を避けることが可能である。
【００８４】
さらに、バックライト５３ａを点灯させているときに、バッテリ７１に蓄えられている電力量が点灯可能電力値以下になるとバックライト５３ａを消灯させるので、停電が復帰した直後に通話可能な電力を残しておくことができる。また、外部から操作ボタン５４のうちの何れかが操作されるとバックライト５３ａを消灯させるので、子機５０の使用者が、バックライト５３ａの点灯を継続させるか消灯させるかを選択できるので都合がよい。
【００８５】
そして、本実施形態の子機５０によれば、ＲＡＭ６１ａに設けられた終了判定タイマＴ１により、バックライト５３ａを点灯させてからの経過時間を計測し、予め設定された点灯継続時間に達すると、自動的に消灯させるようにしているので、電力の浪費を避けることができる。
【００８６】
そして、表示パネル５３のバックライト５３ａを点灯させるので、新たにハードウェアを追加することなく、子機５０を停電時の非常灯として使用できる。
以上説明した実施形態において、子機５０は本発明における無線端末装置に相当し、無線通信部６９は本発明における通信手段に相当し、電圧監視部７７及びＳ１４０、Ｓ４３０、Ｓ６１０、Ｓ８１０の処理は本発明における給電検知手段に相当する。
【００８７】
そして、Ｓ１７０の処理及び停電判定処理は本発明における停電判定手段に相当し、バッテリ残量監視部７３及びＳ１９０〜Ｓ２４０、Ｓ２７０〜Ｓ２９０、Ｓ３１０、Ｓ３２０、Ｓ７２０〜Ｓ７４０の処理及び非常灯継続判定処理は、本発明における照明制御手段に相当し、Ｓ４２０〜Ｓ４９０は本発明における接続要求送信手段、Ｓ７１０は本発明における第１の照明許可手段及び第２の照明許可手段、Ｓ２６０及び復帰判定処理は本発明における復帰判定手段に相当する。
【００８８】
また、上述したバックライト５３ａの動作設定手順は、本発明の点灯動作設定手段に相当する。
以上、本発明の実施形態について説明したが、本発明は上記実形態に限定されるものではなく、本発明の技術的範囲に属する限り種々の形態を採ることができる。
【００８９】
例えば、上記実施形態の変形例１として、図１０（ａ）に示すように、子機５０の充電台８０への載置面の中央部に、凹部５８を形成し、凹部５８内に、子機５０が充電台８０に載置されたことを検知するスイッチ５９を設け、一方、充電台８０には、図１０（ｂ）に示すように、載置用凹部８１ａ内の中央部に、子機５０が載置用凹部８１ａ内に載置されるとスイッチ５９に接触する突起８３を設けるようにしてもよい。尚、本変形例１において、スイッチ５９は本発明における載置検知手段に相当する。
【００９０】
この場合、子機５０は、図１１に示すように、制御部６１に接続されるスイッチ５９を備えており、子機５０が充電台８０に載置されると、このスイッチ５９により、子機５０が充電台８０に載置されているか否かが検知される。尚、図１０は、変形例１の子機５０及び充電台８０の外観を示す斜視図であり、図１１は、変形例の子機５０を備えるコードレス電話システム１の電気的構成を表すブロック図である。
【００９１】
そして、このような子機５０においては、図４に示す子機動作処理のＳ１６０において実行される停電判定処理を図１２に示すよう行えばよい。
つまり、停電判定処理が実行されると、制御部６１は、まずＳ１０１０にて、電圧監視部７７にて検知された充電電圧が電圧判定値以下であるか否かを判断する。ここで、検知された充電電圧が電圧判定値以下である場合には（Ｓ１０１０：ＹＥＳ）、Ｓ１０２０に移行して、通信不能フラグＦ７がセットされているか否かを判断する。そして、通信不能フラグＦ７がセットされている場合には（Ｓ１０２０：ＹＥＳ）、スイッチ５９による検知結果により子機５０が充電台８０に載置されているか否かを判断する。そして、載置されていると判断した場合には（Ｓ１０３０：ＹＥＳ）、停電していると判定し、Ｓ１０４０に移行して停電フラグＦ３をセットして当該処理を終了する。
【００９２】
一方、Ｓ１０１０にて、検知された充電電圧が電圧判定値以下でない場合（Ｓ１０１０：ＮＯ）、Ｓ１０２０にて、通信不能フラグＦ７がセットされていない場合（Ｓ１０２０：ＮＯ）、子機５０が充電台８０に載置されていない場合（Ｓ１０３０：ＮＯ）には、停電していないと判定し、Ｓ１０５０に移行して停電フラグＦ３をクリアして当該処理を終了する。
【００９３】
そして、このようにすれば、充電台８０からの電圧供給が無いと判断し、親機１０との通信ができないと判断した後に、充電台８０に載置されているか否かを判断し、載置されている場合に停電を判定するので、より確実に停電を判定することができ、子機５０が充電台８０から外され、親機１０との通信ができない場合に、商用電源９０の停電を判定してバックライト５３ａを不必要に点灯してしまうことを防止できる。
【００９４】
さらに、このような変形例１の子機５０においては、図４に示す子機動作処理のＳ１６０において実行される停電判定処理を図１３に示すように実行してもよい。
つまり、停電判定処理が実行されると、制御部６１は、まずＳ１１１０にて、電圧監視部７７にて検知された充電電圧が電圧判定値以下であるか否かを判断する。ここで、検知された充電電圧が電圧判定値以下である場合には（Ｓ１１１０：ＹＥＳ）、Ｓ１１２０に移行して、子機５０が充電台８０に載置されているか否かを判断する。そして、載置されていないと判断した場合には（Ｓ１１２０：ＮＯ）、Ｓ１１３０に移行し、通信不能フラグＦ７がセットされているか否かを判断する。そして、通信不能フラグＦ７がセットされている場合には（Ｓ１１３０：ＹＥＳ）、停電していると判定し、Ｓ１１４０に移行して停電フラグＦ３をセットして当該処理を終了する。
【００９５】
また、Ｓ１１２０にて、充電台８０に載置されていると判断した場合には（Ｓ１１２０：ＹＥＳ）は、停電していると判定し、Ｓ１１４０に移行して停電フラグＦ３をセットして当該処理を終了する。
【００９６】
一方、Ｓ１１１０にて、検知された充電電圧が電圧判定値以下でない場合（Ｓ１１１０：ＮＯ）、Ｓ１１３０にて、通信不能フラグＦ７がセットされていない場合（Ｓ１１３０：ＮＯ）には、停電していないと判定し、Ｓ１１５０に移行して停電フラグＦ３をクリアして当該処理を終了する。
【００９７】
このようにすると、充電台８０からの電圧供給が無い場合に充電台８０に載置されていると判断されたときには即座に停電していると判定し、充電台８０に載置されていないときのみ親機１０との通信を行い、親機１０と通信できないときに停電していると判定するので、停電を判定するための処理を減らすことができる。
【００９８】
また、例えば、上記実施形態の変形例２として、通信不能フラグＦ７を使用せず、通常動作処理のＳ４２０〜Ｓ４９０の処理を削除し、通常動作処理では待機処理と通話処理のみを繰り返すように構成し、さらに、子機動作処理のＳ２３０の表示パネル５３に表示されたメッセージ表示をクリアする処理を削除すると共に、停電判定処理のＳ６２０の処理において、親機１０との間で無線通信が可能か否かを判断するよう構成してもよい。
【００９９】
そして、このようにすれば、クイック発呼機能、つまり子機５０を充電台８０から外すと自動的に電話回線網１００に接続する機能が無い子機５０であっても停電の判定処理を実現できる。
【０１００】
そして、上記実施形態では、コードレス電話システム１を本発明のコードレス電話システムに、コードレス電話システム１において使用される子機５０を本発明の無線端末装置の構成を適用したものとして例示した。しかし、本発明の構成を適用する無線端末装置は、親機と子機で無線通信を行う機能を有していれば、コードレス電話システム１以外の装置、例えば親機と子機を有するファクシミリ装置や複合機であってもよい。そして、親機が電話回線網１００と接続されている必要はなく、インターホンのようなものでもよい。
【０１０１】
一方、非常灯として、バックライト５３ａを利用しているが、別途ＬＥＤを設けてもよい。また、通話処理等の際にもバックライト５３ａが点灯されるが、これらの処理時より停電時のバックライト５３ａの光量を高くすることで、非常灯としてのバックライト５３ａと通常のバックライト５３ａを区別してもよい。
【０１０２】
そして上記実施形態では、バックライト５３ａが点灯している場合に、外部から操作ボタン５４のうちの何れかが操作されるとバックライト５３ａを消灯させるようにしたが、例えば、通話を終了するときに操作される切ボタンが操作されるとバックライト５３ａを消灯させるようにしてもよい。このようにすれば、使用者が誤って非常灯として使用しているバックライト５３ａを消灯してしまうことを防止できる。
【図面の簡単な説明】
【０１０３】
【図１】コードレス電話システム１の外観を示す斜視図である。
【図２】子機５０及び充電台８０の外観を示す斜視図である。
【図３】コードレス電話システム１の電気的構成を表すブロック図である。
【図４】子機５０の子機動作処理示すフローチャートである。
【図５】図４の通常動作処理の詳細を示すフローチャートである。
【図６】図４の停電判定処理の詳細を表すフローチャートである。
【図７】図４の非常灯開始判定処理の詳細を示すフローチャートである。
【図８】図４の復帰判定処理の詳細を示すフローチャートである。
【図９】図４の非常灯継続判定処理の詳細を示すフローチャートである。
【図１０】変形例１の子機５０及び充電台８０の外観を示す斜視図である。
【図１１】変形例１の子機５０を備えるコードレス電話システム１の電気的構成を表すブロック図である。
【図１２】変形例１の子機５０による停電判定処理を示すフローチャートである。
【図１３】変形例１の子機５０による停電判定処理の他の例を示すフローチャートである。
【符号の説明】
【０１０４】
１…コードレス電話システム、１０…親機、１１…親機本体ケース、１２…ハンドセット、１３…表示パネル、１４…操作ボタン、１５…ユーザＩ／Ｆ、２１…制御部、２３…スピーカ、２５…再生部、２７…無線通信部、３１…経路切換部、５０…子機、５１…子機本体ケース、５３…表示パネル、５３ａ…バックライト、５４…操作ボタン、５５…充電用端子、５７…ユーザＩ／Ｆ、５８…凹部、５９…スイッチ、６１…制御部、６３…送受話部、６５…再生部、６７…スピーカ、６９…無線通信部、７１…バッテリ、７３…電力残量監視部、７５…充電回路、７７…電圧監視部、８０…充電台、８１…充電台本体、８１ａ…載置用凹部、８２…充電用端子、８３…突起、９０…商用電源、１００…電話回線網
【図１】
2006211558.tif 000003
【図２】
2006211558.tif 000004
【図３】
2006211558.tif 000005
【図４】
2006211558.tif 000006
【図５】
2006211558.tif 000007
【図６】
2006211558.tif 000008
【図７】
2006211558.tif 000009
【図８】
2006211558.tif 000010
【図９】
2006211558.tif 000011
【図１０】
2006211558.tif 000012
【図１１】
2006211558.tif 000013
【図１２】
2006211558.tif 000014
【図１３】
2006211558.tif 000015